(57)【要約】      （修正有）【課題】オフィス内などに手軽にコミュニケーションを図れるインフォーマルな場を作り出すのに適した天板付き家具及び家具システムを提供する。【解決手段】天板付き家具１は、床面上に載置可能なベース２と、ベース２から立ち上がる支持体としての支柱３と、支柱３の上端部に支持された天板４とを具備し、天板４の一端面４２ａ及び他端面４２ｂと交差する一端としての反使用端４１ｂ側にパネル５を、パネル５の幅方向一端部５０ａを天板４の一端面４２ａよりも天板４の幅方向における中心側に近づけ、パネル５の幅方向他端部５０ｂを天板４の他端面４２ｂに達するように天板４の幅方向における中心から遠ざけた状態で設ける。【選択図】図２
2015093081.tif 000002
【特許請求の範囲】
【請求項１】
床面上に載置可能なベースと、このベースから立ち上がる支持体と、この支持体の上端部に支持された天板とを具備し、この天板の一端面及び他端面と交差する一端側にパネルを、当該パネルの幅方向一端部を前記天板の前記一端面よりも天板中心側に近づけ、当該パネルの幅方向他端部を前記天板の前記他端面に達するように天板中心から遠ざけた状態で設けたことを特徴とする天板付き家具。
【請求項２】
前記天板の前記一端が反使用端であり、前記パネルの幅方向他端部を前記天板の前記他端面よりも外方側に突出させてなることを特徴とする請求項１記載の天板付き家具。
【請求項３】
前記天板の幅寸法と前記パネルの幅寸法とが略等しく設定されていることを特徴とする請求項１又は２記載の天板付き家具。
【請求項４】
前記天板の幅方向中心に対し、前記パネルの幅方向中心が半ピッチずれていることを特徴とする請求項３記載の天板付き家具。
【請求項５】
前記パネルが、当該パネルの幅方向他端部に前記天板の前記他端面に沿って突出する側板部を更に備える平面視Ｌ字状のものであることを特徴とする請求項１記載の天板付き家具。
【請求項６】
起立姿勢で使用するハイテーブルを構成するように天板面の高さが設定されていることを特徴とする請求項１〜５の何れかに記載の天板付き家具。
【請求項７】
請求項１〜６の何れかに記載の天板付き家具を単位ユニットとして、これらを複数組み合わせて構成されることを特徴とする家具システム。
【発明の詳細な説明】
【技術分野】
【０００１】
本発明は、特にオフィスにおいてインフィーマルなコミュニケーションの場を好適に作り出すことが可能な天板付き家具および家具システムに関するものである。
【背景技術】
【０００２】
従来、オフィスワーカーの知的生産性は個人力に依存していたため、個人の執務環境をいかに充実させるかに重点が置かれていた。それとともに組織での課題解決も重要であり、特許文献１にはこれらを両立するオフィス構成用設備が開示されている。このオフィス構成用設備は、個人の執務スペースとミーティングスペースとを合理的に構成したものであり、執務スペースを構成するデスクに隣接してパネルで囲まれた内部空間を設け、この内部空間をミーティングスペースとしている。
【先行技術文献】
【特許文献】
【０００３】
【特許文献１】特開２０１０−１１６７１３号公報
【発明の概要】
【発明が解決しようとする課題】
【０００４】
ところで、近年、高度な課題への取り組みとともに仕事へのスピードが求められるようになったことから、組織をまたいだチームでの課題解決が必要になっている。しかしながら、執務スペースのようなデスクが密集している場所、ひいては人が密集している場所には、特に別の部門の人は近づきにくく、周囲の視線が気になって、コミュニケーションが取りにくいという問題がある。
【０００５】
一般的にオフィス内では社員同士でコミュニケーションをとれる場所が少なく、またコミュニケーションは会議室や特許文献１に開示されているようなミーティングスペースなどが一般的であるが、このようなフォーマルな場では意見やアイデアが出にくく、より自由な発想や気づきを誘発するインフォーマルな場が重要視されている。オフィス内でのインフォーマルな場としてはリフレッシュコーナが一般的であるが、リフレッシュコーナがそもそも設けられていなかったり、周囲の人にサボっていると思われるなどの理由から活用度は高くないのが実情である。
【０００６】
本発明は、上記のような課題を解消することを目的としており、具体的には、オフィス内などに手軽にコミュニケーションを図れるインフォーマルな場を作り出すのに適した天板付き家具及び家具システムを提供することを目的とする。
【課題を解決するための手段】
【０００７】
本発明は、かかる目的を達成するために、次のような手段を講じたものである。
【０００８】
すなわち、本発明の天板付き家具は、床面上に載置可能なベースと、このベースから立ち上がる支持体と、この支持体の上端部に支持された天板とを具備し、この天板の一端面及び他端面と交差する一端側にパネルを、当該パネルの幅方向一端部を前記天板の前記一端面よりも天板中心側に近づけ、当該パネルの幅方向他端部を前記天板の前記他端面に達するように天板中心から遠ざけた状態で設けたことを特徴とする。
【０００９】
このような構成でパネルが天板に設けられていることから、天板の一端側にパネルにより覆われている部分と覆われていない部分を形成して、ある程度開放感を有しつつ他人の視線を隠す目隠し機能を発揮して適度な隠れ感やこもり感等の遮蔽性を作り出すことができる。また、天板上に資料やサンプル、タブレット端末等を置くことができ、例えばパネルで覆われた領域においては電話やタブレット端末によるビデオ通話を、パネルで覆われていない領域においては立ち寄ったワーカーとの間で意見交換や情報交換を円滑に行うことができる。そのため、このような天板付き家具を例えば執務スペースから少し離れた場所に設置することで、簡易な作業を行えるとともにパネルにより周囲の人を気にせずに手軽にコミュニケーションを行えるインフォーマルな場を作り出すことができる。
【００１０】
遮蔽性をより高めるとともにこのような天板付き家具を複数横並び或いは対向配置させた場合に遮蔽領域の大きい組み合わせ家具を構築することを可能にするためには、前記天板の前記一端が反使用端であり、前記パネルの幅方向他端部を前記天板の前記他端面よりも外方側に突出させてなる構成とすることが好ましい。
【００１１】
特に、複数横並びにした場合に隣接する各パネル間および各天板間の何れにも隙間を生じさせない状態を実現するためには、前記天板の幅寸法と前記パネルの幅寸法とが略等しく設定されていることが好ましい。
【００１２】
さらに、同種の組み合わせ家具を突き合わせて対向配置した場合、天板の端面同士が揃うとともに各パネル間に隙間を生じさせないようにするためには、前記天板の幅方向中心に対し、前記パネルの幅方向中心が半ピッチずれるように構成されていることが好適である。
【００１３】
ある程度の開放感を備えつつ、より閉塞感やこもり感を高めるためには、前記パネルが、当該パネルの幅方向他端部に前記天板の前記他端面に沿って突出する側板部を更に備える平面視Ｌ字状のものであることが好ましい。
【００１４】
また、逐一着座あるいは立ち上がらずとも、付近を通行するワーカーと同じ目線高さを保つことができるようにするためには、起立姿勢で使用するハイテーブルを構成するように天板面の高さが設定されていることが好ましい。
【００１５】
また、手軽にコミュニケーションを行える様々な形態の空間を多彩に展開するためには、上記天板付き家具を単位ユニットとして、これらを複数組み合わせて構成される家具システムとすることが好ましい。
【発明の効果】
【００１６】
本発明は、以上説明した構成であるから、手軽にコミュニケーションを図れるインフォーマルな場を作り出すことに適した天板付き家具及び家具システムを提供することができる。
【図面の簡単な説明】
【００１７】
【図１】オフィス内に本発明の一実施形態に係る天板付き家具が設置された状態を示す図。
【図２】同天板付き家具を示す斜視図。
【図３】同天板付き家具を示す正面図。
【図４】同天板付き家具を示す側面図。
【図５】同天板付き家具を天板を透視した状態で示す平面図。
【図６】同天板付き家具に取り付けられるタブレットスタンドの斜視図。
【図７】オフィス内に同天板付き家具が設置された他の状態を示す図。
【図８】同天板付き家具を複数横並びにして構成される家具システムの斜視図。
【図９】同天板付き家具を対向配置して構成される家具システムの斜視図。
【図１０】同天板付き家具の変形例を示す斜視図。
【図１１】同天板付き家具の変形例を示す斜視図。
【図１２】同天板付き家具の変形例を示す斜視図。
【図１３】同家具システムの変形例を示す斜視図。
【図１４】同家具システムの変形例を示す斜視図。
【発明を実施するための形態】
【００１８】
以下、本発明の一実施形態を、図面を参照して説明する。
【００１９】
図１，２は、本実施形態の天板付き家具１を示している。この天板付き家具１は、例えばオフィス内においてデスクが複数密集した執務スペース７から少し離れた場所に設置されてインフォーマルな場を作り出すために好適に用いられ、床面に載置可能なベース２から立ち上がる支持体としての支柱３の上端部に支持された天板４の反使用端４１ｂ側にパネル５を設けたものである。
【００２０】
天板４は、矩形状の図示しない芯材の上に当該芯材と略同形状の図示しないクッション材を積層し、それらを張り地４Ａで被覆して構成されており、上方からの力に対して適度なクッション性を備えることから、肘などを置いた際に良好な使用感を有するものである。また、天板４上に商品等のサンプルや資料、ノートパソコン、タブレット端末Ｔなどを載置することができる。
【００２１】
図２に示すように、このような天板４の一端面４２ａ及び他端面４２ｂと交差する（具体的には略直交する）反使用端４１ｂ側には、天板４よりも上下方向に延在する正面視矩形状のパネル５が設けられている。パネル５は、図示しない芯材の表面に張り地５Ａが貼り付けられて構成されたものであり、図３に示すように、パネル５の幅寸法Ｌ１が天板４の幅寸法Ｌ２と略等しく設定されるとともに、上下寸法Ｌ３が幅寸法Ｌ１よりも大きく設定されている。このパネル５は、詳細には、図５に示すように幅方向一端部５０ａを天板４の一端面４２ａよりも天板４の幅方向における中心４Ｃ１側に近づけるとともにパネル５の幅方向他端部５０ｂを天板４の他端面４２ｂよりも外方側に突出させて天板４の幅方向における中心４Ｃ１から遠ざけ、天板４の反使用端４１ｂ側に配置されるパネル領域５ａ（図３参照）に対し、天板４から外方側に配置されるパネル領域５ｂ（図３参照）が小さくなるように設けられている。パネル５の上端部には図２に示すように側面視略Ｓ字状のフック５９を掛止することができ、このフック５９をパネル領域５ｂに設けることで、傘など上下方向にある程度の長さを有するものを天板４に干渉させることなく適切に吊り下げることができる。
【００２２】
このような天板４の下方には、図３に示すように、四隅に設けられたアジャスタ２１により天板４と平面視略同一形状のベース本体２０が床面から所定の隙間Ｇを介して設置されたベース２が設けられている。このベース本体２０の中央部には、後述する支柱３の内部に形成された配線挿通孔１３０と連通する連通孔１２０が形成されるとともにこの連通孔１２０の周囲には後述する支柱本体３０の下端を固定するための挿通孔２０ａが形成されている。
【００２３】
図３に示すように、支柱３は、ベース本体２０から立ち上がって内部に配線挿通孔１３０が形成された円筒状の支柱本体３０と、支柱本体３０の上端に取り付けられた天板支持部３１とから構成される。天板支持部３１は、板金を折り曲げ成形したものであって、図５に示すように天板４よりも幅寸法Ｌ５及び奥行き寸法Ｌ６が小さくかつ平面視略矩形状の天板受け１３１ａ上に上記天板４を載置して支持するものである。天板受け１３１ａには四隅に挿通孔１３１ａｂが形成されており、天板４はこの挿通孔１３１ａｂを介して図示しないねじ等の止着具により天板受け１３１ａに固定されている。また、天板受け１３１ａの中央部には挿通孔１３１ａｃが４箇所に形成されており、この挿通孔１３１ａｃを介して図３に示す支柱本体３０の上端面に図示しない止着具により固定されている。なお、支柱本体３０の下端部は図３に示すように前記挿通孔２０ａを介してベース本体２０に固定されている。この天板受け１３１ａの奥行き方向における一端面３１ａの位置は天板４の反使用端４１ｂと奥行き方向にほぼ一致しており、図４に示すように天板受け１３１ａの奥行き方向における一端３１ａｂから下方に向けてパネル取付部１３１ｃが延びている。このパネル取付部１３１ｃは幅方向両端部および中央部に設けられた図３に示す挿通孔１３１ｃａを介して図示しない止着具によりパネル５と固定されている。また、天板受け１３１ａの幅方向一端３１ｂには下方に延びる折曲補強部１３１ｂが形成されている。この折曲補強部１３１ｂは図４に示すように天板４の反使用端４１ｂ側から使用端４１ａ側に向かって上下寸法が短くなる側面視略台形形状をなしている。
【００２４】
図５に示すように、天板受け１３１ａにおいて挿通孔１３１ａｃと天板４の使用端４１ａとの間の位置には挿通孔１３３ａａが幅方向に離間して２箇所に形成されており、この挿通孔１３３ａａを介して側面視Ｌ字状のブラケット１３２が取り付けられ、このブラケット１３２にコンセントＣが差し込み口Ｃａが前方を向くようにして取り付けられている。そのため、天板４上にタブレット端末Ｔなどの電子機器を載置した際にはこのコンセントＣから電力を得ることができる。このコンセントＣから延びる配線Ｃｋは、図３に示すように、支柱本体３０の上端部に形成された図示しない開口から配線挿通孔１３０およびベース本体２０に形成された貫通孔１２０を通って外方に引き回される。
【００２５】
このような天板付き家具１は、床面から天板面４ａまでの高さＬ４が９００〜１０５０ｍｍに設定されていわゆるハイテーブルを構成するものであり、パネル５により囲まれたクッション性を有する天板とともに、起立したまま気軽で自由な姿勢を促すことができる。
【００２６】
また天板付き家具１には、図１，２に示すような支持具としてのタブレットスタンド６を設置することができる。このタブレットスタンド６は、板金を折り曲げ成形したものであり、下方に延びる図６に示す差込部６０を図２に示すように天板４とパネル５との間に天板４を構成するクッション材を押し広げながら差し込むことで簡単かつ素早く（クイックに）設置することができ、図６に示す差込部６０の上端６０ａより前面に向けて延びる平行部６１の先端６１ａから上方に起立する起立部６２により図２に示すタブレット端末Ｔの下端を当接させるとともにタブレット端末Ｔの上端をパネル５に当接させて使用することができるものである。なお、図３〜５ではタブレットスタント６の図示を省略している。
【００２７】
上記のような天板付き家具１は、比較的コンパクトなモジュールであることから、執務スペース７に繋がる動線上に設置することができるとともに部屋の隅や他の家具の隙間などにも設置しやすく、レイアウトの変更が容易で常に最適な場所に設置することができる。また、図１に示すワーカーの側方（パネル１に覆われていない領域）から矢印で示すようにアクセスして話しかけるほか、図７に示すように、パネル５越しにフェイストゥフェイスによって気軽にコミュニケーションを行うなど、インフォーマルな場を作り出すことが可能であることから、メール等を利用した一方通行の情報交換ではなく、両者の間でスムーズな意思の疎通を図ることができる。さらに、気づきや発想へのきっかけとなるのは、このようなコミュニケーションによる人と人との接点が最も重要であるが、前述のように天板４上に商品等のサンプルや資料を載置可能であり、パネル５により切り取られたエリアの中で情報やサンプルに自然に触れられるようにすることで、気づきや発想をさらに誘発することができる。また、天板付き家具１を複数個所に設置することで、一般的なリフレッシュスペースのような大きな引力ではなく、コンパクトモジュールによる小さな引力を点在させてコミュニケーションの活性化を図り、気づきや発想に繋がるシーンをより効率的に提供することができる。さらに、図８に示すように天板４，４の幅方向における端面４２ａ、４２ｂ同士およびパネル５，５の幅方向における端部５０ａ，５０ｂ同士をそれぞれ当接させて天板付き家具１を複数横並べた家具システム１００として使用したり、図９に示すように天板付き家具１を対向配置させつつパネル５，５の幅方向における端部５０ａ，５０ａ同士を当接させた家具システム１０１として使用したりして、コミュニケーションを手軽に行える様々な空間を容易に形成することもできる。なお、図９に示す家具システム１０１では、紙面奥側に配置された天板付き家具１には斜線を引いている。
【００２８】
以上のように本実施形態の天板付き家具１は、床面上に載置可能なベース２と、このベース２から立ち上がる支持体としての支柱３と、この支柱３の上端部に支持された天板４とを具備し、この天板４の一端面４２ａ及び他端面４２ｂと交差する一端としての反使用端４１ｂ側にパネル５を、当該パネル５の幅方向一端部５０ａを前記天板４の前記一端面４２ａよりも天板４の幅方向における中心４Ｃ１側に近づけ、当該パネル５の幅方向他端部５０ｂを前記天板４の前記他端面４２ｂに達するように天板４の幅方向における中心４Ｃ１から遠ざけた状態で設けるように構成したものである。
【００２９】
このような構成でパネル５が天板４に設けられているため、天板４の反使用端４１ｂ側にパネル５により覆われている部分と覆われていない部分を形成して、ある程度の開放感を有しつつ他人の視線を隠す目隠し機能を発揮して適度な隠れ感やこもり感等の遮蔽性を作り出すことができる。また、天板４上に資料やサンプル、タブレット端末Ｔ等を置くことができ、例えばパネル５で覆われた領域においては電話やタブレット端末Ｔによるビデオ通話を、パネル５で覆われていない領域においては立ち寄ったワーカーとの間で意見交換や情報交換を円滑に行うことができる。そのため、このような天板付き家具１を例えば執務スペース７から少し離れた場所に設置することで、簡易な作業を行えるとともにパネル５により周囲の人を気にせずに手軽にコミュニケーションを行えるインフォーマルな場を作り出すことができる。
【００３０】
また、前記パネル５の幅方向他端部５０ｂを前記天板４の前記他端面４２ｂよりも外方側に突出させてなるように構成したことから、遮蔽性をより高めることができるとともに、このような天板付き家具１を図８に示したように横並びにすれば、外方側に突出したパネル５の他端部５０ｂは隣接する天板４の反使用端４１ｂを覆う位置に配置されて遮蔽領域の大きい組み合わせ家具を構築することができる。さらに、このような天板付き家具１を図９に示すように対面配置すれば、外方側に突出したパネル５の他端部５０ｂは対向する天板４の反使用端４１ｂのうちパネル５により遮蔽されていない領域に配置されて互いの遮蔽領域を拡張し合うことができる。これら図８や図９において、パネル５の他端部５０ｂと隣接もしくは対向する天板４の反使用端４１ｂとを突き合わせるようにして配置すれば、天板付き家具１，１同士を組み合わせる際のガイドや位置決めの役割も担わせることができる。
【００３１】
特に、前記天板４の幅寸法Ｌ２と前記パネル５の幅寸法Ｌ１とが略等しく設定されるように構成したことから、同種の天板付き家具１を複数横に並べて配置した場合に、隣接させた各パネル５，５間および各天板４，４間の何れにも隙間を生じさせない状態を実現することができる。
【００３２】
以上において、本実施形態の天板付き家具１が起立姿勢で使用するハイテーブルを構成するように天板面４ａの高さが設定されていることから、逐一着座あるいは立ち上がらずとも、付近を通行するワーカーと同じ目線高さを保つことができ、より手軽に互いのアプローチを図ることができる。
【００３３】
またさらに、本発明の家具システム１００は、このような天板付き家具１を単位ユニットとして、これらを複数組み合わせて構成されるものであり、手軽にコミュニケーションを行える様々な形態の空間を多彩に展開することができる。
【００３４】
以上、本発明の一実施形態について説明したが、各部の具体的な構成は、上述した実施形態のみに限定されるものではなく、本発明の趣旨を逸脱しない範囲で種々変形が可能である。
【００３５】
例えば、本実施形態ではパネル５は天板４の反使用端４１ｂ側にのみ設けられた平面視Ｉ字状のものであるが、図１０に示すように、ベース２から立ち上がる支持体３により支持された天板４の幅方向一端面４２ａにパネル１５５の第１パネル部分１５２を、当該第１パネル部分１５２の幅方向一端部１５２ａを前記天板４の使用端４１ａよりも天板４の奥行き方向における中心４Ｃ２側に近づけ、当該第１パネル部分１５２の幅方向他端部１５２ｂを前記天板４の前記反使用端４１ｂに達するように天板４の奥行き方向における中心４Ｃ２から遠ざけた状態で設けるとともに、この第１パネル部分１５２の他端部１５２ｂより天板４の反使用端４１ｂに沿って突出する側板部としての第２パネル部分１５３を備えた平面視Ｌ字状のパネル１５５を有する天板付き家具１５１としてもよい。
【００３６】
このように前記パネル１５５が、当該パネル１５５の幅方向他端部１５２ｂに前記天板４の前記反使用端４１ｂに沿って他端面４２ｂより突出する第２パネル部分１５３を更に備える平面視Ｌ字状のものであることから、ある程度の開放感を備えつつ、より閉塞感やこもり感を高めることができる。
【００３７】
この場合、前記パネル１５５が、図示しないパネル本体とその表面を被覆する張り地１５５Ａにより構成されるものであって、前記Ｌ字の入隅部１５３ａに向けて前記天板４の角４Ｂが突き当てられているように構成することで、天板４の角４Ｂが張り地１５５Ａを押し付けて第２パネル部分１５３の基端１５３ａ周辺にＲ形状が形成され、意匠的な効果を有するとともに一体感を備えたものにすることができる。
【００３８】
また、図１１に示すように、ベースとしてのアジャスタ１６２が底板１６４ｄの四隅に取り付けられ、側板１６４ｂ，１６４ｂ間に複数の棚板１６４ｃ，１６４ｃを異なる高さ位置に設けてなる支持体としてのシェルフ１６４を用い、このシェルフ１６４の上板１６４ａ上で天板４を支持するとともにこの天板４の反使用端４１ｂ側に平面視Ｉ字状のパネル１６５が取り付けられて天板付き家具１６１が構成されてもよく、また、このような天板付き家具１６１においてパネル１６５の代わりに図１２に示すような平面視Ｌ字状のパネル１７５が取り付けられて天板付き家具１７１が構成されてもよい。なお、天板付き家具１６１において天板４とパネル１６５との位置関係は、図２等に示す天板付き家具１の天板４とパネル５との位置関係と同様である。また、天板付き家具１７１において天板４とパネル１７５との位置関係は、図１０に示す天板付き家具１５１の天板４とパネル１５５との位置関係と同様である。
【００３９】
これらの天板付き家具１５１，１６１，１７１も、それらを単体で使用してもよく、またそれぞれを単位ユニットとして組み合わせて使用してもよい。例えば図１３に示すように平面視Ｌ字状のパネル１５５を備える天板付き家具１５１を配置し、そこから天板付き家具１を横並びにして天板付き家具１と天板付き家具１５１とを組み合わせて家具システム２００を構成してもよい。このとき、天板付き家具１５１において第２パネル部分１５３の天板４の他端面４２ｂより突出する部分の長さを、天板付き家具１の天板４の反使用端４１ｂにおいてパネル５により覆われていない部分の長さと一致させることで、天板付き家具１５１の天板４と天板付き家具１の天板４との間、及び、天板付き家具１５１のパネル１５５と天板付き家具１のパネル５との間に隙間を生じさせないようにすることができる。さらに、図１に示すように、天板付き家具１の隣に、シェルフ１６４に支持された天板４の反使用端４１ｂ側に平面視Ｉ字状のパネル１６５を取り付けた天板付き家具１６１を当接させて配置してもよい。
【００４０】
また、本実施形態では前記天板４の反使用端４１ｂ側に配置されるパネル領域５０ａに対し、天板４から外方側に配置されるパネル領域５０ｂが小さく設定されているが、天板４の反使用端４１ｂ側に配置されるパネル領域５ａに対し、天板４から外方側に配置されるパネル領域５ｂの方が大きく設定されていてもよい。これによって、同種の天板付き家具をパネル５，５同士を突き合わせた状態で複数横並びに配置した場合に隣接する天板４，４間に隙間ができるので、その隙間を適宜に設定すれば、コミュニケーションをとるために各天板４へアクセスし易くなり、また、天板４に就いたワーカー間にも適宜の距離を保つことができる。
【００４１】
或いは、図１４に示すように、前記天板４の幅方向における中心４Ｃに対し、パネル５の幅方向における中心５Ｃが半ピッチずらして天板付き家具１８１を構成してもよい。このような天板付き家具１８１を突き合わせて対向配置して家具システム１０２を構成した場合には、各パネル５，５間に隙間を生じさせることがなく、また天板４，４同士の間に空間が形成されることで、コミュニケーションをとるために各天板４へアクセスし易くなり、さらに、天板４に就いたワーカー間にも適宜の距離を保つことができる。そのため、例えば各天板付き家具１８１に図６に示すようなタブレットスタンド６を取り付けてタブレット端末Ｔを使用する場合でも、隣のワーカーへの配慮を少なくすることができる。なお、図１４では紙面奥側に配置された天板付き家具１８１には斜線を引いている。なお、この天板付き家具１８１は天板４に対するパネル５の取付位置以外は図２等に示す天板付き家具１と同様の構成である。
【００４２】
さらに本実施形態では、天板４はクッション性を有するものであるが、これに限定されず、木製、メラミン樹脂製、スチール製のものであってもよい。ただ、パネル５にウレタン樹脂等の比較的柔らかい材料を使用することで、天板４とパネル５との間にタブレットスタンド６を差し込む際にウレタン樹脂が変形して容易に着脱することができる。また、天板４の形状は、平面視矩形状のものに限定されず、六角形や八角形などの多角形や平行四辺形などであってもよい。
【００４３】
その他の構成も、本発明の趣旨を逸脱しない範囲で種々変形が可能である。
【符号の説明】
【００４４】
１、１５１、１６１、１７１、１８１・・・天板付き家具
２・・・ベース
３・・・支持体（支柱）
４・・・天板
４ａ・・・天板面
４Ｃ１、４Ｃ２・・・天板中心
５、１５５、１６５、１７５・・・パネル
５ａ、５ｂ・・・パネル領域
４１ｂ・・・天板の一端（反使用端）
４２ａ・・・天板の一端面
４２ｂ・・・天板の他端面
５０ａ・・・パネルの幅方向一端部
５０ｂ、１５２ｂ・・・パネルの幅方向他端部
１００、１０１、１０２、２００・・・家具システム
１５３・・・側板部（第２パネル部分）
１６２・・・ベース（アジャスタ）
１６４・・・支持体（シェルフ）
Ｌ１・・・パネルの幅寸法
Ｌ２・・・天板の幅寸法
【図１】
2015093081.tif 000003
【図２】
2015093081.tif 000004
【図３】
2015093081.tif 000005
【図４】
2015093081.tif 000006
【図５】
2015093081.tif 000007
【図６】
2015093081.tif 000008
【図７】
2015093081.tif 000009
【図８】
2015093081.tif 000010
【図９】
2015093081.tif 000011
【図１０】
2015093081.tif 000012
【図１１】
2015093081.tif 000013
【図１２】
2015093081.tif 000014
【図１３】
2015093081.tif 000015
【図１４】
2015093081.tif 000016